【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
被測定体に接触する基材と、
前記基材の外表面上または内部の第１測定点における第１温度を測定するための第１温度センサーと、前記基材の外表面上または内部の第２測定点における第２温度を測定するための第２温度センサーと、を有する温度測定部と、
前記基材の周囲の温度を第３温度として取得する周囲温度取得部と、
演算部と、
を備え、
前記演算部が、前記第１温度、前記第２温度、および前記第３温度に基づいて、前記被測定体の深部温度を求める、
ことを特徴とする温度測定装置。
【請求項２】
請求項１記載の温度測定装置であって、
前記温度測定部、前記周囲温度取得部、および前記演算部の動作を制御する制御部を備え、
前記制御部が、複数の時間帯において前記温度測定を実行させ、
前記演算部が、前記温度測定によって得られたデータの平均演算によって、前記各時間帯の前記第１温度ならびに前記第２温度を決定し、前記決定された各時間帯の前記第１温度ならびに前記第２温度を用いて、前記深部温度を求める、
ことを特徴とする温度測定装置。
【請求項３】
請求項１記載の温度測定装置であって、
前記環境の温度を変化させることができる環境温度調整部をさらに備え、
前記制御部が、前記第１温度センサーおよび前記第２温度センサーによる１回の測定が終了する毎に、前記環境温度調整部によって前記環境の温度を変化させる、
ことを特徴とする温度測定装置。
【請求項４】
請求項１記載の温度測定装置であって、
前記温度測定を実行するタイミングを決めるタイミング制御情報を入力するタイミング制御情報入力部をさらに備え、
前記制御部が、前記タイミング制御情報が入力される毎に、前記温度測定を実行させる、
ことを特徴とする温度測定装置。
【請求項５】
請求項１〜４のいずれか一項に記載の温度測定装置であって、
前記演算部は、測定された前記第１温度、前記第２温度および前記第３温度に基づいて、当該第１〜第３温度の関係を規定する関数の定数を算出し、当該定数を用いた前記深部温度の演算式に基づき、前記深部温度を算出することを特徴とする温度測定装置。
【請求項６】
請求項５記載の温度測定装置であって、
前記第１温度は、前記第２温度を変数とし、第１の傾きと第１の切片を有する第１の１次関数によって表され、
前記第１の切片は、前記第３温度を変数とし、第２の傾きと第２の切片を有する第２の１次関数によって表され、
前記定数は、前記第１の傾きと、前記第２の傾きと、前記第２の切片とに相当し、
前記演算部は、
第１測定で得られた前記第１温度をＴｂ１とし、前記第２温度をＴｐ１とし、前記第３温度をＴｏｕｔ１とし、
第２測定で得られた前記第１温度をＴｂ２とし、前記第２温度をＴｐ２とし、前記第３温度をＴｏｕｔ２とし、
第３測定で得られた前記第１温度をＴｂ３とし、前記第２温度をＴｐ３とし、前記第３温度をＴｏｕｔ３として、
前記第１測定で得られた前記第１温度Ｔｂ１、前記第２温度Ｔｐ１および前記第３温度Ｔｏｕｔ１と、前記第２測定で得られた前記第１温度Ｔｂ２、前記第２温度Ｔｐ２および前記第３温度Ｔｏｕｔ２と、前記第３測定で得られた前記第１温度Ｔｂ３、前記第２温度Ｔｐ３および前記第３温度Ｔｏｕｔ３と、に基づいて、前記第１の傾きと、前記第２の傾きと、前記第２の切片の値とを算出し、算出された前記第１の傾きと、前記第２の傾きと、前記第２の切片の値とを用いた前記演算式に基づき、前記深部温度を算出する、
ことを特徴とする温度測定装置。
【請求項７】
請求項６記載の温度測定装置であって、
前記演算部は、
前記第１の傾きａと、前記第２の傾きｃと、前記第２の切片ｄとを、
【数２３】
2012098037.tif 000001
によって算出し、
前記深部温度Ｔｃを、
【数２４】
2012098037.tif 000002
によって表される前記演算式に基づいて算出する、
ことを特徴とする温度測定装置。
【請求項８】
請求項１〜４のいずれか一項に記載の温度測定装置であって、
前記演算部は、
第１測定で得られた前記第１温度をＴｂ１とし、前記第２温度をＴｐ１とし、前記第３温度をＴｏｕｔ１とし、
第２測定で得られた前記第１温度をＴｂ２とし、前記第２温度をＴｐ２とし、前記第３温度をＴｏｕｔ２として、
前記第１測定で得られた前記第１温度Ｔｂ１および前記第２温度Ｔｐ１と、前記第２測定で得られた前記第１温度Ｔｂ２および前記第２温度Ｔｐ２とを用いた前記深部温度の演算式に基づき、前記深部温度Ｔｃを算出し、
前記演算式は、
【数２５】
2012098037.tif 000003
によって表されることを特徴とする温度測定装置。
【請求項９】
請求項１〜８のいずれか一項に記載の温度測定装置であって、
第１ユニットと、前記第１ユニットとは別体の第２ユニットを備え、
前記第１ユニットは、前記温度測定部と、前記環境温度取得部と、を含み、
前記第２ユニットは、前記演算部と、前記制御部と、を含むことを特徴とする温度測定装置。
【請求項１０】
請求項９記載の温度測定装置であって、
前記第１ユニットは、第１無線通信部を含み、
前記第２ユニットは、第２無線通信部を含み、
前記第１温度の情報と前記第２温度の情報、または、前記第１温度の情報、前記第２温度の情報および前記第３温度の情報は、前記第１無線通信部から前記第２無線通信部に送信され、
前記演算部は、前記第２無線通信部によって受信された、前記第１温度の情報と前記第２温度の情報、または、前記第１温度の情報、前記第２温度の情報および前記第３温度の情報に基づいて前記深部温度を求めることを特徴とする温度測定装置。
【請求項１１】
請求項１〜１０のいずれか一項に記載の温度測定装置であって、
前記基材の前記第１面を、前記被測定体の表面に貼付する貼付構造を、さらに備えることを特徴とする温度測定装置。
【請求項１２】
基材の外表面上、または前記基材の内部における異なる位置の第１測定点および第２測定点における温度を測定する温度情報取得工程と、
前記測定によって得られた前記第１測定点の温度と前記第２測定点の温度に基づいて、または、前記測定によって得られた前記第１測定点の温度および前記第２測定点の温度、ならびに前記基材の周囲の温度に基づいて、前記被測定体の深部温度を求める演算工程と、
を含むことを特徴とする温度測定方法。
【請求項１３】
請求項１２記載の温度測定方法であって、
前記第１測定点の温度を第１温度とし、前記第２測定点の温度を第２温度とし、前記周囲の温度を第３温度としたとき、前記第１温度は、前記第２温度ならびに前記第３温度を変数とし、かつ、複数の定数を含む関数により表され、
前記第１温度は、前記第２温度を変数とし、第１の傾きと第１の切片を有する第１の１次関数によって表され、
前記第１の切片は、前記第３温度を変数とし、第２の傾きと第２の切片を有する第２の１次関数によって表され、
前記複数の定数は、前記第１の傾きと、前記第２の傾きと、前記第２の切片とに相当し、
前記温度情報取得工程における第１測定によって、前記第１温度としてのＴｂ１、前記第２温度としてのＴｐ１、前記第３温度としてのＴｏｕｔ１を取得し、第２測定によって、前記第１温度としてのＴｂ２、前記第２温度としてのＴｐ２、前記第３温度としてのＴｏｕｔ２を取得し、第３測定によって、前記第１温度としてのＴｂ３、前記第２温度としてのＴｐ３、前記第３温度としてのＴｏｕｔ３を取得し、
前記演算工程では、前記第１測定で得られた前記第１温度Ｔｂ１、前記第２温度Ｔｐ１および前記第３温度Ｔｏｕｔ１と、前記第２測定で得られた前記第１温度Ｔｂ２、前記第２温度Ｔｐ２および前記第３温度Ｔｏｕｔ２と、前記第３測定で得られた前記第１温度Ｔｂ３、前記第２温度Ｔｐ３および前記第３温度Ｔｏｕｔ３と、に基づいて、前記第１の傾きと、前記第２の傾きと、前記第２の切片の値とを算出し、算出された前記第１の傾きと、前記第２の傾きと、前記第２の切片の値とを用いた前記深部温度の演算式に基づき、前記深部温度を算出する、
ことを特徴とする温度測定方法。
【請求項１４】
請求項１３記載の温度測定方法であって、
前記演算工程では、
前記第１の傾きａと、前記第２の傾きｃと、前記第２の切片ｄとを、
【数２６】
2012098037.tif 000004
によって算出し、
また、前記深部温度Ｔｃを、
【数２７】
2012098037.tif 000005
によって表される前記演算式に基づいて算出する、
ことを特徴とする温度測定方法。
【請求項１５】
請求項１２記載の温度測定方法であって、
前記第１測定点の温度を第１温度とし、前記第２測定点の温度を第２温度とし、前記周囲の温度を第３温度としたとき、前記第１温度は、前記第２温度ならびに前記第３温度を変数とし、かつ、複数の定数を含む関数により表され、
前記温度情報取得工程における第１測定では、第３温度Ｔｏｕｔ１の下で、前記第１温度としてのＴｂ１および前記第２温度としてのＴｐ１を取得し、また、第２測定では、前記第１測定に対応する第３温度Ｔｏｕｔ１とは異なる値の第３温度Ｔｏｕｔ２の下で、前記第１温度としてのＴｂ２および前記第２温度としてのＴｐ２を取得し、
前記演算工程では、前記第１測定で得られた前記第１温度Ｔｂ１および前記第２温度Ｔｐ１と、前記第２測定で得られた前記第１温度Ｔｂ２および前記第２温度Ｔｐ２と、を用いて、前記深部温度の演算式に基づき、前記深部温度Ｔｃを算出し、
前記演算式は、
【数２８】
2012098037.tif 000006
によって表されることを特徴とする温度測定方法。